(57)【要約】【課題】物品の陳列形態を変えることなく、その物品の情報を容易に表示する。【解決手段】物品に関する電子的な物品情報を観測者に対して前記物品に対応付けて表示する物品情報表示システムであって、前記物品に関する物品情報の表示位置を決定する表示位置検出部と、前記物品情報の表示対象となる商品の商品コードを決定する商品認識部と、前記表示位置と前記投影手段の位置関係を用いて前記物品情報から表示情報を生成する表示情報生成部とを備える表示制御装置２０と、商品毎に割り振られた物品コードに前記物品情報を対応づけて蓄積する物品情報データベース１２を有しネットワーク４０を介して複数の表示制御装置２０と連絡可能で個々の表示制御装置２０に物品情報のデータを送信するサーバ１０と、前記生成された表示情報を前記表示位置に投影表示する投影装置２１とを備える。【選択図】  図１
2005156591.tif 000002
【特許請求の範囲】
【請求項１】
物品に関する電子的な物品情報を観測者に対して前記物品に対応付けて表示する物品情報表示システムであって、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から表示情報を生成する表示情報生成手段と、を備える表示制御手段と、
商品毎に割り振られた物品コードに前記物品情報を対応づけて蓄積する物品情報データベースを有し、通信ネットワークを介して複数の前記表示制御手段と連絡可能で個々
の表示制御手段に物品情報のデータを送信するサーバ装置と、
前記生成された表示情報を前記表示位置に投影表示する投影手段と
を備えたことを特徴とする物品情報表示システム。
【請求項２】
物品に関する電子的な物品情報を観測者に対して前記物品に対応付けて表示する表示制御手段であって、
商品毎に割り振られた物品コードに前記物品に関する物品情報を対応づけて蓄積する物品情報データベースを有し、単一または複数の前記表示制御手段に物品情報のデータを送信するサーバ装置と
このサーバ装置から通信ネットワークを介して供給された前記物品情報の表示位置を決定する表示位置検出手段と、
前記物品情報の表示対象となる商品の商品コードを決定する商品認識手段と、
前記表示位置と前記投影手段の位置関係を用いて前記物品情報から前記表示位置に投影表示するための表示情報を生成する表示情報生成手段と
を備えたことを特徴とする物品情報表示装置。
【請求項３】
物品に関する電子的な物品情報を観測者に対して前記物品に対応付けて表示する物品情報を送信するサーバ装置であって、
商品毎に割り振られた物品コードに前記物品に関する物品情報を対応づけて蓄積する物品情報データベースを有すると共に、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から前記表示位置に投影表示するための表示情報を生成する表示情報生成手段とを備えた単一または複数の表示制御手段と、通信ネットワークを介して連絡し、
前記表示制御手段に前記物品情報からなるデータを送信すること
を特徴とするサーバ装置。
【請求項４】
前記表示制御手段は、前記物品を販売する小売店に限定した商品付加情報を予め蓄積した物品付加情報データベースを有し、
前記表示情報生成手段は、前記物品情報に物品付加情報データベース内の物品付加情報を付加し、前記表示位置検出手段から出力される表示位置と前記投影装置の位置関係を用いて前記物品付加情報が付加された物品情報から表示情報を生成すること
を特徴とする請求項１から３のいずれか１項に記載の物品情報表示システム、物品情報表示装置またはサーバ装置。
【請求項５】
前記サーバ装置は、予め観測者の物品嗜好や物品購入履歴を記述したプロファイル情報を観測者毎に唯一に割り振られた観測者コードに対応付けて蓄積したユーザプロファイルデータベースを有し、
前記表示制御手段は、観測者コードを保存した観測者が有する携帯端末から該観測者コードを受信するデータ受信手段を備え、
前記表示情報生成手段は、前記観測者コードを前記サーバに送信し、このサーバから観測者コードに該当するプロファイル情報を受信し、このプロファイル情報を用いて前記物品情報を変換した後に、前記表示位置検出手段から供給された表示位置と前記投影手段の位置関係を用いて前記変換した物品情報から表示情報を生成すること
を特徴とする請求項４記載の物品情報表示システム、物品情報表示装置またはサーバ装置。
【請求項６】
前記表示情報生成手段は、予め入力された表示位置に該当する領域内の三次元座標を利用して、前記商品情報に対し投影した時に観測者から商品情報が表示位置に張り付いたように観測できるように幾何変換を施して表示情報を生成すること
を特徴とする請求項１から５のいずれか１項に記載の物品情報表示システム、物品情報表示装置またはサーバ装置。
【請求項７】
前記表示情報生成手段は、予め入力された表示位置に該当する領域内の三次元座標と観測者の位置を利用して、前記商品情報に対し観測者の位置から歪みなく観測できるように幾何変換を施して表示情報を生成すること
を特徴とする請求項１から６のいずれか１項に記載の物品情報表示システム、物品情報表示装置またはサーバ装置。
【請求項８】
前記表示情報生成手段は、予め入力された表示位置に該当する領域内の反射率を利用して、前記商品情報に対して色変換を施して表示情報を生成すること
を特徴とする請求項１から７のいずれか1項に記載の物品情報表示システム、物品情報表示装置またはサーバ装置。
【請求項９】
前記表示制御手段は、前記前記表示位置と前記観測者の位置間の距離を検知し、
この検出された距離が予め指定された領域以内である場合には前記投影手段による投影表示を実行させること
前記検出された距離が前記指定された領域外である場合には前記投影表示を停止させること
を特徴とする請求項１から８のいずれか1項に記載の物品情報表示システム、物品情報表示装置またはサーバ装置。
【請求項１０】
前記表示位置が予め指定された領域内である場合には前記投影手段による投影表示を実行させること、
前記表示位置が前記指定された領域外である場合には前記投影表示を停止させること
を請求項１から９のいずれか１項に記載の物品情報表示システム、物品情報表示装置またはサーバ装置。
【請求項１１】
前記投影手段は、鏡面若しくは駆動手段を用いることにより投影表示方向を任意の方向に変更可能なプロジェクタであること
を特徴とする請求項１から１０のいずれか１項に記載の物品情報表示システム、物品情報表示装置またはサーバ装置。
【請求項１２】
物品に関する電子的な物品情報を観測者に対して前記物品に対応付けて表示する物品情報表示方法であって、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から表示情報を生成する表示情報生成手段とを備える表示制御手段と、
商品毎に割り振られた物品コードに前記物品情報を対応づけて蓄積する物品情報データベースを有し、通信ネットワークを介して複数の前記表示制御手段と連絡可能で個々の表示制御手段に物品情報のデータを送信するサーバと、
前記生成された表示情報を前記表示位置に投影表示する投影手段とを備え、
前記表示制御手段は、前記物品を販売する小売店に限定した商品付加情報を予め蓄積した物品付加情報データベースを有し、
前記表示情報生成手段が、前記物品情報に物品付加情報データベース内の物品付加情報を付加し前記表示位置検出手段から出力される表示位置と前記投影装置の位置関係を用いて前記物品付加情報が付加された物品情報から表示情報を生成する工程
を有することを特徴とする物品情報表示方法。
【請求項１３】
前記サーバは、予め観測者の物品嗜好や物品購入履歴を記述したプロファイル情報を観測者毎に唯一に割り振られた観測者コードに対応付けて蓄積したユーザプロファイルデータベースを有し、
前記表示制御手段が、観測者コードを保存した観測者が有する携帯端末から該観測者コードを受信する工程と、
前記表示情報生成手段が、前記観測者コードを前記サーバに送信してこのサーバから観測者コードに該当するプロファイル情報を受信し、このプロファイル情報を用いて前記物品情報を変換した後に、前記表示位置検出手段から供給された表示位置と前記投影手段の位置関係を用いて前記変換した物品情報から表示情報を生成する工程と
を有することを特徴とする請求項１２記載の物品情報表示方法。
【請求項１４】
前記表示情報生成手段が、予め入力された表示位置に該当する領域内の三次元座標を利用して、前記商品情報に対し投影した時に観測者から商品情報が表示位置に張り付いたように観測できるように幾何変換を施して表示情報を生成する工程
を有することを特徴とする請求項１３記載の物品情報表示方法。
【請求項１５】
前記表示情報生成手段が、予め入力された表示位置に該当する領域内の三次元座標と観測者の位置を利用して前記商品情報に対し観測者の位置から歪みなく観測できるように幾何変換を施して表示情報を生成する工程
を有するこのを特徴とする請求項１２から１４のいずれか１項に記載の物品情報表示方法。
【請求項１６】
前記表示情報生成手段が、予め入力された表示位置に該当する領域内の反射率を利用して前記商品情報に対して色変換を施して表示情報を生成する工程
を有することを特徴とする請求項１２から１５のいずれか1項に記載の物品情報表示方法。
【請求項１７】
前記表示制御手段が、前記前記表示位置と前記観測者の位置間の距離を検知し、この検出された距離が予め指定された領域以内である場合には前記投影手段による投影表示を実行させる工程と、前記検出された距離が前記指定された領域外である場合には前記投影表示を停止させる工程と実行すること
を特徴とする請求項１２から１６のいずれか1項に記載の物品情報表示方法。
【請求項１８】
前記表示制御手段が、前記表示位置が予め指定された領域内である場合に前記投影手段によって投影表示を実行させる工程と、前記表示位置が前記指定された領域外である場合に前記投影表示を停止させる工程とを実行すること
を特徴とする請求項１２から１７のいずれか１項に記載の物品情報表示方法。
【請求項１９】
請求項１２から１８のいずれか１項に記載の物品情報表示方法をコンピュータによって実行するプログラム。
【請求項２０】
請求項１２から１８のいずれか１項に記載の物品情報表示方法をコンピュータによって実行するプログラムを記録したコンピュータ読み取り可能な記録媒体。
【発明の詳細な説明】
【技術分野】
【０００１】
本発明は、商品に関する広告などの商品情報を、観測看に対して陳列された商品近傍に広告表示を行なう物品情報表示方法とその装置、サーバ、プログラム及びその記録媒体に関するものである。
【背景技術】
【０００２】
小売店等で消費者に見えるように多数の商品をショーケースに並べ。消費者が好みの商品を選択し、その料金を支払うことにより売買が成立するビジネス形態では、商品に関する広告などの商品情報の伝達にテレビ、ラジオ、雑誌等のマスメディアを利用することが多い。このような場合、商品の広告を見る場所とその商品が販売されている場所とは離れていることが一般的である。このため、広告によって消費者は購入意欲が出たとしても、その場で商品を購入することができない。商品を販売している現場における広告方法としては、ポスター等を用いる方法が一般的である。ところが、このような広告方法では広告の表示位置が固定されてしまい、広告を行いたい商品の近傍でその商品に対応した広告を行うことが難しいという問題があった。
【０００３】
この問題に対し、例えば、特許文献１に開示された方法（表示機能付きショーケース）は、陳列された商品の前に、透明パネル上に該透明パネル上を移動可能かつ広告表示可能な透明ディスプレイを配置することにより、観測者が前記商品を観測時に商品の近傍に広告が表示されるようにしている。
【０００４】
ところが、これらの方法では透明ディスプレイ越しに商品を観測するため、例えば、本や，ビデオ、製菓類などショーケースに入れる必要がない商品までもショーケースに入れる必要が出てくるため、小売店における既存の商品陳列形態への適用が困難である。また、多数の商品に対して同時に広告を襲示する際には大きな透明ディスプレイを準備しなくてはならない。
【０００５】
しかしながら、該透明ディスプレイは一般的に高価なものであるため、小売店への負担が大きくなるといった問題がある。
【特許文献１】特開２００３−１２５９０号公報
【発明の開示】
【発明が解決しようとする課題】
【０００６】
本発明は、かかる事情に鑑みなされたもので、その目的は、物品情報表示システムにおいて、物品の陳列形態を変えることなく、その物品の情報を容易に表示できる物品情報表示方法とその装置、サーバ、プログラム及びその記録媒体の提供にある。
【課題を解決するための手段】
【０００７】
本発明の物品情報表示システムは、物品に関する電子的な物品情報を観測者に対して前記物品に対応付けて表示するものあって、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から表示情報を生成する表示情報生成手段と、を備える表示制御手段と、
商品毎に割り振られた物品コードに前記物品情報を対応づけて蓄積する物品情報データベースを有し、通信ネットワークを介して複数の前記表示制御手段と連絡可能で個々の表示制御手段に物品情報のデータを送信するサーバ装置と、
前記生成された表示情報を前記表示位置に投影表示する投影手段とを備えたことを特徴とする。
【０００８】
また、本発明の物品情報表示制御装置は、物品に関する電子的な物品情報を観測者に対して前記物品に対応付けて表示する表示制御手段であって、
商品毎に割り振られた物品コードに前記物品に関する物品情報を対応づけて蓄積する物品情報データベースを有し、単一または複数の前記表示制御手段に物品情報のデータを送信するサーバ装置と
このサーバ装置から通信ネットワークを介して供給された前記物品情報の表示位置を決定する表示位置検出手段と、
前記物品情報の表示対象となる商品の商品コードを決定する商品認識手段と、
前記表示位置と前記投影手段の位置関係を用いて前記物品情報から前記表示位置に投影表示するための表示情報を生成する表示情報生成手段と
を備えたことを特徴とする。
【０００９】
さらに、本発明のサーバ装置は、物品に関する電子的な物品情報を観測者に対して前記物品に対応付けて表示する物品情報を送信するものであって、
商品毎に割り振られた物品コードに前記物品に関する物品情報を対応づけて蓄積する物品情報データベースを有すると共に、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から前記表示位置に投影表示するための表示情報を生成する表示情報生成手段とを備えた単一または複数の表示制御手段と、通信ネットワークを介して連絡し、
前記表示制御手段に前記物品情報からなるデータを送信することを特徴とする。
【００１０】
これらの物品情報表示システム、物品情報表示装置またはサーバ装置において、
前記表示制御手段としては、前記物品を販売する小売店に限定した商品付加情報を予め蓄積した物品付加情報データベースを有するものがあり、
このとき、前記表示情報生成手段としては、前記物品情報に物品付加情報データベース内の物品付加情報を付加し、前記表示位置検出手段から出力される表示位置と前記投影装置の位置関係を用いて前記物品付加情報が付加された物品情報から表示情報を生成するものがある。
【００１１】
また、前記サーバ装置としては、予め観測者の物品嗜好や物品購入履歴を記述したプロファイル情報を観測者毎に唯一に割り振られた観測者コードに対応付けて蓄積したユーザプロファイルデータベースを有し、
このとき、前記表示制御手段としては、観測者コードを保存した観測者が有する携帯端末から該観測者コードを受信するデータ受信手段を備えたものがあり、
前記表示情報生成手段としては、前記観測者コードを前記サーバに送信し、このサーバから観測者コードに該当するプロファイル情報を受信し、このプロファイル情報を用いて前記物品情報を変換した後に、前記表示位置検出手段から供給された表示位置と前記投影手段の位置関係を用いて前記変換した物品情報から表示情報を生成するものがある。
【００１２】
さらに、前記表示情報生成手段としては、予め入力された表示位置に該当する領域内の三次元座標を利用して、前記商品情報に対し投影した時に観測者から商品情報が表示位置に張り付いたように観測できるように幾何変換を施して表示情報を生成するものがある。
【００１３】
また、前記表示情報生成手段としては、予め入力された表示位置に該当する領域内の三次元座標と観測者の位置を利用して、前記商品情報に対し観測者の位置から歪みなく観測できるように幾何変換を施して表示情報を生成するものがある。
【００１４】
さらに、前記表示情報生成手段としては、予め入力された表示位置に該当する領域内の反射率を利用して、前記商品情報に対して色変換を施して表示情報を生成するものがある。
【００１５】
また、前記表示制御手段としては、前記前記表示位置と前記観測者の位置間の距離を検知し、この検出された距離が予め指定された領域以内である場合には前記投影手段による投影表示を実行させ、前記検出された距離が前記指定された領域外である場合には前記投影表示を停止させるものがある。
【００１６】
さらに、前記表示位置が予め指定された領域内である場合には前記投影手段による投影表示を実行させ、前記表示位置が前記指定された領域外である場合には前記投影表示を停止させるものがある。
【００１７】
また、前記投影手段としては、鏡面若しくは駆動手段を用いることにより投影表示方向を任意の方向に変更可能なプロジェクタ等がある。
【００１８】
さらに、本発明の物品情報表示方法としては、物品に関する電子的な物品情報を観測者に対して前記物品に対応付けて表示するものであって、
前記物品に関する物品情報の表示位置を決定する表示位置検出手段と、前記物品情報の表示対象となる商品の商品コードを決定する商品認識手段と、前記表示位置と前記投影手段の位置関係を用いて前記物品情報から表示情報を生成する表示情報生成手段とを備える表示制御手段と、
商品毎に割り振られた物品コードに前記物品情報を対応づけて蓄積する物品情報データベースを有し、通信ネットワークを介して複数の前記表示制御手段と連絡可能で個々の表示制御手段に物品情報のデータを送信するサーバと、
前記生成された表示情報を前記表示位置に投影表示する投影手段とを備え、
前記表示制御手段は、前記物品を販売する小売店に限定した商品付加情報を予め蓄積した物品付加情報データベースを有し、
前記表示情報生成手段が、前記物品情報に物品付加情報データベース内の物品付加情報を付加し前記表示位置検出手段から出力される表示位置と前記投影装置の位置関係を用いて前記物品付加情報が付加された物品情報から表示情報を生成する工程を有することを特徴とする。
【００１９】
また、この物品情報表示方法において、前記サーバ装置としては、予め観測者の物品嗜好や物品購入履歴を記述したプロファイル情報を観測者毎に唯一に割り振られた観測者コードに対応付けて蓄積したユーザプロファイルデータベースを有するものがあり、
前記表示制御手段が、観測者コードを保存した観測者が有する携帯端末から該観測者コードを受信する工程と、
前記表示情報生成手段が、前記観測者コードを前記サーバ装置に送信してこのサーバ装置から観測者コードに該当するプロファイル情報を受信し、このプロファイル情報を用いて前記物品情報を変換した後に、前記表示位置検出手段から供給された表示位置と前記投影手段の位置関係を用いて前記変換した物品情報から表示情報を生成する工程とを有するものがある。
【００２０】
さらに、前記表示情報生成手段が予め入力された表示位置に該当する領域内の三次元座標を利用して、前記商品情報に対し投影した時に観測者から商品情報が表示位置に張り付いたように観測できるように幾何変換を施して表示情報を生成する工程を有するものがある。
【００２１】
また、前記表示情報生成手段が予め入力された表示位置に該当する領域内の三次元座標と観測者の位置を利用して前記商品情報に対し観測者の位置から歪みなく観測できるように幾何変換を施して表示情報を生成する工程を有するものがある。
【００２２】
さらに、前記表示情報生成手段が予め入力された表示位置に該当する領域内の反射率を利用して前記商品情報に対して色変換を施して表示情報を生成する工程を有するものがある。
【００２３】
また、前記表示制御手段が前記前記表示位置と前記観測者の位置間の距離を検知し、この検出された距離が予め指定された領域以内である場合には前記投影手段による投影表示を実行させる過程と前記検出された距離が前記指定された領域外である場合には前記投影表示を停止させる過程とを実行する工程を有するものがある。
【００２４】
さらに、前記表示制御手段が、前記表示位置が予め指定された領域内である場合に前記投影手段によって投影表示を実行させる過程と前記表示位置が前記指定された領域外である場合に前記投影表示を停止させる過程とを実行する工程を有するものがある。
【００２５】
以上の物品情報表示方法とそのシステム、物品情報表示装置及びサーバ装置は、コンピュータにその及び手段を実行するためのプログラムによっても実現でき、さらには、このプログラムをコンピュータ読み取り可能な記録媒体に記録すること、ネットワークを通して提供することも可能である。記録媒体としては、フレキシブルディスクや、ＨＤＤ、ＭＯ、ＲＯＭ、メモリカード、ＣＤ、ＤＶＤ、リムーバルディスク等が例示される。
【００２６】
本発明の物品情報表示方法とそのシステム、物品情報表示装置、サーバ装置及びこれらの機能を実行するプログラム並びにその記録媒体によれば、投影手段を用いて商品情報を表示するため、既存の商品陳列形態を変えることなく商品情報を表示することが可能となる。さらに、本発明では、商品の近傍に商品情報を表示することが可能となるため、観測者は商品情報を容易に獲得することが実現される。さらに、本発明では、ＣＲＴディスプレイや液晶ディスプレイ、有難ＥＬディスプレイ等に比べて情報表示範囲が広い投影手段を用いて商品情報を表示するため、多数の商品に対して同時に商品借報を表示することが可能となる。
【発明の効果】
【００２７】
本発明の物品情報表示方法とそのシステム、物品情報表示装置、サーバ装置、プログラム及びこの記録媒体によれば、投影手段を用いて商品情報を表示するため、既存の商品陳列形態を変えることなく商品惰報を表示できる。また、この商品に対応付けてその近傍に商品情報を表示することができるため、観測者は商品情報を容易に取得することが実現される。さらに、ＣＲＴディスプレイや液晶ディスプレイ、有機ＥＬディスプレイ等に比べて情報表示範囲が広い投影手段を用いて商品情報を表示するため、多数の商品に対して同時に商品情報を表示できる。
【００２８】
したがって、物品の陳列形態を変えることなく、その物品の情報を容易に表示できる。
【発明を実施するための最良の形態】
【００２９】
以下、図面を参照しながら本発明の実施の形態について説明する。
【００３０】
（実施形態例１）
図１は、本発明の第１の実施形態例を示した概略構成図である。
【００３１】
本実施形態の物品情報表示システムは、陳列棚に陳列されている物品すなわち商品を販売する複数の小売店において、商品の広告として機能する商品情報（静止画でも動画でも良い）をサービス提供者から受信し、商品の広告を行なうものである。
【００３２】
サービス提供者１０は、コンピュータであるサーバ１１から構成される。サーバ１１は通信ネットワーク（以下、ネットワーク４０と称する）を介して広告提供者３０の有する広告配信サーバ３１から提供される商品情報を蓄積する商品情報データベース１２を有している。商品情報データベース１２では、例えば商品１は商品情報１ａ、商品２は商品情報２ａというように、投影表示する商品毎に唯一に割り振られた商品コードと対応付けて複数の商品情報が記憶されている。
【００３３】
小売店Ａには、陳列棚の上に複数の商品が設置されており、この陳列棚に対向して投影装置２１ａが配置されている。投影装置２１ａは例えば液晶プロジェクタやＤＬＰプロジェクタ、レーザ走査型のプロジェクタなどで実現できる。また、投影装置２１ａは、投影表示領域を広げるため、前方に配置した鏡面の向きの変更若しくは投影装置２１ａを搭載する駆動装置による機械制御により投影表示方向を任意に変更可能であっても良い。また、小売店Ａはコンピュータ等の端末からなる表示制御装置２０ａを有している。表示制御装置２０ａに各種演算処理および制御を行う制御回路、ネットワーク４０を介してサーバ１１と通信する通信手段としての通信インターフェース回路が設けられている。表示制御装置２０ａは商品情報から任意の表示情報を作成できるとともに、ネットワーク４０を介してサーバ１１から商品情報を受信できるように構成されている。通信ネットワーク４０としては、インターネットやＬＡＮ、一般電話網、無線電話網等を利用することができる。投影装置２１ａは、陳列棚上に表示情報を商品に対応づけてその近傍（所定の表示位置）にそれぞれ投影する。
【００３４】
小売店Ｂでも同様に、陳列棚の上に複数の商品が設置されており、この陳列棚に対向して小売店Ａと同様の投影装置２１ｂが配置されている。また、小売店Ｂはコンピュータ等の端末からなる表示制御装置２０ｂを有している。表示制御装置２０ｂに各種漬算処理および制御を行う制御回路、通信ネットワーク４０を介してサーバ１１と通信する通信手段としての通信インターフェース回路が設けられている。表示制御装置２０ｂは商品情報から任意の表示情報を作成できるとともに、通信ネットワーク４０を介してサーバから商品情報を受信できるように構成されている通信ネットワーク４０としては、インターネットやＬＡＮ、一般電話網、無線電話網等を利用することができる。投影装置２１ｂは、陳列棚上に表示情報を商品に対応付けてその近傍（所定の表示位置）にそれぞれ投影する。
【００３５】
小売店Ｚも、小売店Ａ及びＢと同様な構成及び機能を有する表示制御装置２０ｚ及び投影装置２１ｚを備える。
【００３６】
このように、投影装置によって商品情報を投影するという表示方法を採ることにより既存の陳列棚を流用ができる。陳列棚は木製や合成樹脂製等からなるものでよい。勿論、商品の表面上に商品情報を投影表示してもよい。
【００３７】
図２は、投影装置に商品情報を投影するための表示情報を送信する表示制御装置の概略構成図である。
【００３８】
表示制御装置２０は、その商品に関する商品情報の表示位置を決定する表示位置検出部２０１と、前記商品情報の表示対象となる商品を特定する商品コードを決定する商品認識部２２２と、商品情報から入力された前記表示位置と投影装置２１の位置関係を用いて表示情報を生成する表示情報生成部２０３とを備える。
【００３９】
表示位置検出部２０１は、商品を観測する観測者がその商品周辺の予め設定された領域内に侵入して来ると、商品に添付された商品固有の識別コード番号を認識し、このコード番号に対応する表示位置を決定する。そのために、例えば、前記商品には前記固有の識別コード番号を有し、周囲の電磁波や超音波の状態から位置を出力する標識装置を付すると共に、この商品を展示している小売店内にはその商品及びこれに近づいて来る観測者の位置を認識するための電磁場や超音波を発生する発信装置を備えるとよい。
【００４０】
商品認識部２０２は、前記コード番号を商品コードとして決定する。また、表示位置検出装置２０１の代わりに、固有の識別コード番号を有するＩＤタグと自己の交信範囲内に入るとそれを感知してそのＩＤ情報を取得するＩＤリーダーから成るＲＦＩＤタグシステムを用いて、ＩＤリーダーを陳列棚に敷き詰め、商品にＩＤタグを貼り付けて商品の位置と商品コードを取得する方法や、商品に固有の識別コード番号を有するマーカーを貼り付け、これらをカメラ等の撮影装置で観測した出力画像を用いて商品の位置と商品コードを取得する方法を利用してもよい。
【００４１】
図３は、表示制御装置における処理工程を説明したフローチャートである。
【００４２】
表示制御装置２０は、観測者がある商品の周辺の所定領域内に侵入して来ると、表示位置検出部２０１を起動し（Ｓ１）、前記商品の商品情報の表示位置を受信する（Ｓ２）。
【００４３】
続いて、商品認識部２０２を起動し（Ｓ３）、商品コードを受信する（Ｓ４）。
【００４４】
続いて、表示情報生成部２０３を起動し（Ｓ５）、表示情報を受信する（Ｓ５）。
【００４５】
最後に、表示情報を投影装置２１に転送して処理を終了する（Ｓ７）。
【００４６】
図４は、表示情報生成部２０３における処理工程を説明したフローチャートである。
【００４７】
先ず、表示情報生成部２０３は起動の信号を受けると、表示位置検出部２０１から表示位置を受信する（Ｓ１１）。
【００４８】
次いで、商品認識部２０２から商品コードを受信する（Ｓ１２）。
【００４９】
続いて、この商品コードをサーバ１１に転送する（Ｓ１３）。
【００５０】
次に、商品情報データベース１２から受信した商品コードに対応する商品情報をサーバ１１から受信する（Ｓ１４）。
【００５１】
続いて、商品情報に対して、表示位置に所望の大きさで広告情報を表示するため、若しくは予め入力された投影距離の光軸と予め入力された表示領域の法線が一致しない部分で生じる投影像の歪みを軽減した商品情報を観測者に提供するために、受信した位置と投影装置２１の位置関係を用いて幾何変換を施す（Ｓ１５）。この幾何変換は従来技術（例えば、特関２００１−６１１２１号公報に開示された「プロジェクタ装置」がある）と特に変わるところがないので、ここで詳細な記述は省略する。また、商品情報に対する幾何変換に加え、投影領域内のＲＧＢ（色の三原色）各色の反射率の相違によって生じる投影装置２１に入力される投映像と実際に投影される投映像の色の差を軽減するために、例えば、予めテストパターン画像を投影領域に投影し、そのときの色の状態をそれぞれカメラ等の投影装置で検出し、予め設定してある本来の色との差を検出し、逆補正をかけることで、元の色に近づける方法によって色変換を施してもよい。
【００５２】
表示情報生成部２０３においては以上の処理を商品コート数（商品の数）分だけ繰り返す。最後に、幾何変換後の商品情報を表示情報として投影装置２１に転送し処理を終了する（Ｓ１６）。
【００５３】
投影装置２１は、前記商品情報を前記表示位置に投影する。そして、前記観測者が前記指定された領域外に移動すると、投影装置２１は、その投影表示を停止させる。
【００５４】
また、表示制御装置２０は、前記表示位置が予め指定された領域内である場合に投影装置２１による投影表示を、一方、前記表示位置が前記指定された領域外である場合には前記投影表示の停止を実行させてもよい。
【００５５】
図５は、ある小売店において陳列棚に陳列された商品に対する商品情報の表示例を示す。この例では、図６に示すような商品情報をサーバ１１から受け取ったものとする。ここでは、商品１の情報例として「新発売」が、商品２の情報例として「フランス製」が、商品３の情報例として「人気Ｎｏ．１」が、商品４の情報例として「おすすめ」が受信されている。
【００５６】
そして、表示情報生成部２０３では、図７に示すように、表示位置検出部２０１から受信した前記商品の位置と投影装置２１の位置関係を用いて前記商品情報を拡大縮小し、投影装置２１への出力画像中に拡大縮小した商品情報を前記商品に対応付けてその位置にあわせて配置し表示情報を生成する。この結果、図５に示したような、各商品（商品１，２，３，４）に関する広告が商品近傍の表示位置に張り付いたようにその商品に対応付けて観測できるようになる。
【００５７】
（実施形態例２）
以下、本発明の第二の実施形態について図面を用いて説明する。
【００５８】
本実施形態の商品情報表示システムは、陳列棚に陳列されている商品を販売する小売店Ａ及びＢ等の複数の小売店において、普段小売店Ａで特定の商品カテゴリを頻繁に購入するユーザが小売店Ｂを訪れた際に、小売店Ｂで小売店Ａと同一の商品カテゴリに属する商品の広告を行なうものである。
【００５９】
サービス提供者１０には、実施形態例１の構成に加えて観測者の嗜好情報や購入履歴情報を記述したプロファイル情報を蓄積するユーザプロファイルデータベースと各商品がどのカテゴリに所属するかを記述した商品カテゴリデータベースを備えたサーバが設置されている。
【００６０】
図８はそのユーザープロファイルデータベースの一例を示したものである。
【００６１】
ユーザプロファイルデータベース（図８においてはユーザプロファイルＤＢと表記）には、例えば観測者コード“００１”は“商品１、商品２−商品カテゴリ１、商品３−商品カテゴリ２”、観測者コード“００２”は“商品４−商品カテゴリ１、商品５−商品カタログ３”、のように過去の購入商品とその商品の属するカテゴリが記述されたプロファイル情報が観測者コードと対応付けられて記憶されているものとする。ここでのどのカテゴリにどの商品がどの商品に属するかについては予めサービス投供者で準備しているものとする。
【００６２】
小売店Ａ及びＢは、第一実施形態例の例に加えて前記商品を販売する小売店に限定した商品付加情報を予め蓄積した商品付加情報データベースを有する表示制御装置を備えている。この例では、商品付加情報データベースには、例えば商品カテゴリ“商品カテゴリ１”は“関連の商品は２Ｆでも販売しています”のように、小売店での商品付加情報が商品カテゴリと対応付けられて記憶されているものとする。
【００６３】
表示制御装置２０は、第一実施形態例の表示位置検出部２０１、商品認識部２０２、表示情報生成部２０３に加え、観測者コードを保存した観測者が有する携帯端末から該観測者コードを受信するデータ受信部を耐えている。データ受信手段はＩＣカードリーダやＲＦＩＤタグリーグなどの接触式による装置や、Ｂｌｕｅｔｏｏｔｈ等の非接触方式による装置等から観測者コードを受信することによって実現できる。
【００６４】
表示制御装置２０は、先ず、表示位置検出部２０１を起動し、表示位置を受信する。続いて、商品認識部２０２を起動し、商品コードを受信する。続いて、データ受信部を起動して観測者コードを受信する。続いて、表示情報生成部２０３を起動し表示情報を受信する。最後に、表示情報を投影装置２１に転送して処理を終了する。
【００６５】
本実施例での表示情報生成部２０３での処理について説明する。
【００６６】
表示情報生成部２０３は、起動の信号を受けると、表示位置検出部２０１から表示位置を受信する。次いで、商品認識部２０２からは商品コードをデータ受信部から観測者コードを受信する。続いて、受信した商品コードと観測者コードをサーバ１１に転送し、商品情報データベース１２から受信した商品コードに対応ずる商品情報をユーザプロファイルデータベースから観測者コードに対応するプロファイル情報を、サーバ１１から受け取る。続いて、商品付加情報データベースから前記プロファイル情報に含まれる商品カテゴリに対応する商品付加情報を受信する。続いて、受信した商品情報に対して、前記プロファイル情報と前記商品付加情報を用いて変換処理を施し、続いて、変換された商品情報に対して受信した位置と投影装置２１の位置関係を用いて幾何変換を施す。この幾何変換は実施形態例１の幾何変換法と同様のものを採用してよい。表示情報生成部２０３では、以上の処理を商品コード数（商品の数）分だけ繰り返す。最後に幾何変換萱の商品情報を表示情報として投影装置２１に転送し処理を終了する。
【００６７】
図１１は、小売店Ｂにおいて陳列棚に陳列された商品カテゴリ１に属する商品４に対する商品情報の表示例を示す。この例では、ユーザは観測者コードとして“００１”が保存された携帯端末を所持しているものとする。
【００６８】
先ず、表示情報生成部２０３は、この例では、表示位置検出部２０１から図１１に該当する表示位置を、商品認識部２０２から商品コードとして“商品４”を、データ受信部から観測者コードとして“００１”を受信する。
【００６９】
続いて、受信した商品コード“商品４”と観測者コード“００１”をサーバ１１に転送し、サーバ１１から図６の６０１に示す商品惰報と、観測者コード“００１”に対応するプロファイル情報“商品１、商品２−商品カテゴリ１、商品３−商品カテゴリ２”とを受け取る。続いて、商品付加情報データベースから、商品カテゴリ“商品カテゴリ１”に対応する“関連の商品は２Ｆでも販売しています”を受け取る。
【００７０】
続いて、受信した商品情報（図６の６０１）に対して、該プロファイル情報を用いて変換処理を施す。この例では、ユーザ“００１”が小売店Ａを好んで購入した商品カテゴリ１に属する商品のＢ店における場所に関する商品付加情報と、“商品４”を購入した他のユーザ“００２”の他商品購入履歴を追加して図９に示すように変換されたものとする。
【００７１】
続いて、表示位置検出部２０１から受信した商品の位置と投影装置２１の位置関係を用いて変換された商品情報を拡大縮小し、投影装置２１への出力画像中に拡大縮小した商品情報を前記商品の位置にあわせて配置し表示情報を生成する。
【００７２】
このとき、予めユーザの観測位置が陳列棚手前にあるとして処理することにより、図１０に示すような表示情報が生成される。この結果、図１１のように商品に関する広告が商品近傍の位置に利用者の位置から歪み無く観測できるようになる。
【００７３】
以上、本発明を実施形態例に基づき具体的に説明したが、本発明は上記の実施形態例に限定されるものではなく、その要旨を逸脱しない範囲で種々変更可能であることは言うまでもない。例えば、表示情報生成部においては、広告配信サーバから受信した商品に関する商品情報に、例えば、小売店特価情報や小売店での在庫情報など小売店に限定した商品付加情報（静止画、動画）等を適宜組み合わ世で、商品情報として用いることもできる。
【００７４】
また、これまでの実施形態例で述べた物品情報表示方法は、図１〜図１１で示した処理工程をコンピュータのプログラムで構成し、このプログラムをコンピュータに実行させることができることは言うまでもなく、コンピュータでその機能を実現するためのプログラム、あるいは、コンピュータにその処理の工程の実行させるためのプログラムを、そのコンピュータが読み取りできる記録媒体、例えば、フレキシブルディスクや、ＭＯ、ＲＯＭ、メモリカード、ＣＤ、ＤＶＤ、リムーバルディスク、ＨＤＤ等に記録して、保存したり、配布したりすることが可能である。また、このプログラムをインターネットや電子メールなど、ネットワークを介して提供することも可能である。
【００７５】
そして、これら記録媒体からコンピュータに前記のプログラムをインストールすることにより、あるいはネットワークからダウンロードしてコンピュータに前記のプログラムをインストールすることにより、本発明を実施することが可能となる。但し、コンピュータへのインストールはコンピュータ単位であり、装置やシステムが複数あることなどでインストールの対象となるコンピュータが複数ある場合には、当該プログラムは必要な処理部分毎にインストールされることは当然である。この場合、当該プログラムはコンピュータ対応に記録媒体に記録するか、またはネットワークを介してダウンロードしてもよい。
【図面の簡単な説明】
【００７６】
【図１】本発明の第１の実施形態例を示した概略構成図。
【図２】表示制御装置を示した概略構成図。
【図３】表示制御装置における処理工程を説明したフローチャート。
【図４】表示情報生成部における処理工程を説明したフローチャート。
【図５】ある小売店内の陳列棚に陳列された商品に対する商品情報の表示例。
【図６】サーバから受信した商品情報の一例。
【図７】表示位置検出部から受信した前記商品の位置と投影装置の位置関係。
【図８】ユーザープロファイルデータベースの一例。
【図９】表示位置検出部によって変換処理された商品情報の一例。
【図１０】表示情報の一例。
【図１１】ある小売店において陳列棚に陳列された商品カテゴリ１に属する商品４に対する商品情報の表示例。
【符号の説明】
【００７７】
１０…サービス提供者、１１…サーバ、１２…商品情報データベース
２０，２０ａ，２０ｂ，２０ｚ…表示制御装置
２１，２１ａ，２１ｂ，２１ｚ…投影装置
３０…広告提供者、３１…広告配信サーバ
２０…表示制御装置、２０１…表示位置検出部、２０２…商品認識部、２０３…表示情報生成部
２１…投影装置
【図１】
2005156591.tif 000003
【図２】
2005156591.tif 000004
【図３】
2005156591.tif 000005
【図４】
2005156591.tif 000006
【図５】
2005156591.tif 000007
【図６】
2005156591.tif 000008
【図７】
2005156591.tif 000009
【図８】
2005156591.tif 000010
【図９】
2005156591.tif 000011
【図１０】
2005156591.tif 000012
【図１１】
2005156591.tif 000013